(57)【要約】【課題】操作部材の、内容物放出操作とは別のスライド操作により当該内容物放出操作のロックモードとロック解除モードとを選択できるようにした内容物放出操作ロック機構に関し、ロック機構全体の天面および側面の形状のシンプル化と、誤動作防止とを図る。【解決手段】鞘状のカバーキャップ３の周面部の後開口部３ｃに、前後方向へのスライドが可能な操作部材５をその下面が当該後開口部の下縁部分に当接する態様で設け、操作部材５に切欠状部分５ｇを設けた。図示のロックモード時には、後端側下周面部３ｄの上端面（＝後開口部３ｃの下縁部分）に操作部材５の外側垂下部５ｅが当接して内容物放出用の押下げ回動操作を阻止し、操作部材５を図示右側へ後退させたロック解除モード時には当該上端面の逃げ空間部として作用する切欠状部分５ｇが後端側下周面部３ｄの真上に位置し、操作部材５の押下げ回動操作を可能にする。【選択図】図１
2015074485.tif 000002
【特許請求の範囲】
【請求項１】
内容物放出操作のときも容器本体と一体のカバーキャップの内部に配設された内容物放出用の操作部材に対する、当該内容物放出操作とは別のスライド操作により、内容物放出操作阻止のロックモードと、内容物放出操作可のロック解除モードとが選択的に設定される内容物放出操作ロック機構において、
前記カバーキャップは、
前記操作部材の上方カバー用の天板部分を有する天井付き筒状部材からなり、
前記操作部材のスライド操作および内容物放出操作をそれぞれ可能にするための操作用開口部と、
前記容器本体の内容物を外部空間域に放出するための放出用開口部と、
を当該天井付き筒状部材の周面部に備え、
前記操作部材は、
利用者の操作により、前記操作用開口部を介して前記カバーキャップの内外方向に移動するスライド作動部と、
当該スライド作動部がカバーキャップ内側方向へ移動したロックモード位置での前記内容物放出操作において、当該操作用開口部の縁部分に係止されることにより内容物放出操作阻止部として作用するロック作用部と、
を少なくとも備え、
前記カバーキャップおよび前記操作部材の少なくとも一方は、
前記スライド作動部がカバーキャップ外側方向へ移動したロック解除モード位置での前記内容物放出操作において、前記操作用開口部の縁部分に係止されない逃げ空間部として作用するロック解除作用部を有している、
を備えている、
ことを特徴とする内容物放出操作ロック機構。
【請求項２】
前記天板部分は、
その表側が平板状天面の態様で設定されている、
ことを特徴とする請求項１記載の内容物放出操作ロック機構。
【請求項３】
前記操作部材は、
前記ロックモード位置のとき、前記天井付き筒状部材の周面部とともに同一面を構成する周方向面部分を有している、
ことを特徴とする請求項１または２記載の内容物放出操作ロック機構。
【請求項４】
前記ロック作用部は、
前記操作用開口部の下側の前記縁部分に係止される前記操作部材の後側下端部であり、
前記操作部材の前記ロック解除作用部は、
前記後側下端部の位置からその上方側に形成された切欠状部である、
ことを特徴とする請求項１乃至３のいずれかに記載の内容物放出操作ロック機構。
【請求項５】
前記放出用開口部に通じる出力側通路部材を備え、
前記操作部材は、
前記出力側通路部材に前記スライド作動部が案内されながら前記カバーキャップの内外方向に移動する、
ことを特徴とする請求項１乃至４のいずれかに記載の内容物放出操作ロック機構。
【請求項６】
前記出力側通路部材は、
平坦な天面部分を有し、
前記スライド作動部は、
前記天面部分に案内される、
ことを特徴とする請求項５記載の内容物放出操作ロック機構。
【請求項７】
請求項１乃至６のいずれかに記載の内容物放出操作ロック機構を備え、かつ、容器本体に放出用ガスおよび放出対象内容物を収容した、
ことを特徴とするエアゾール式製品。
【請求項８】
請求項１乃至６のいずれかに記載の内容物放出操作ロック機構を備え、かつ、容器本体に放出対象内容物を収容した、
ことを特徴とするポンプ式製品
【発明の詳細な説明】
【技術分野】
【０００１】
本発明は、エアゾール式製品やポンプ式製品における内容物放出用の操作部材のスライド動作により、当該操作部材を、静止モード位置のロック状態に設定して内容物放出操作が阻止されるロックモードと、操作部材のロック状態を解除して内容物放出操作が可能なロック解除モードと、を選択できるようにした内容物放出操作ロック機構に関する。
【０００２】
本明細書では、必要に応じて、内容物放出操作がおこなわれていない状態（＝ステムなどの弁部材の閉作用で内容物が外部空間域に放出されない状態）を静止モードといい、操作部材が例えば押下げ操作された内容物放出状態（＝弁部材の開作用で内容物が外部空間域に放出される状態）を作動モードという。
【０００３】
また、外部空間域への内容物放出側を「前」、それとは反対の利用者指掛け側を「後」とそれぞれ記す。図１，図３，図４の左側が「前」で右側が「後」となる。
【背景技術】
【０００４】
従来、エアゾール式製品において、内容物放出用の操作部材（ボタン部）のスライド動作により、内容物放出操作阻止のロックモードと、内容物放出操作可のロック解除モードとを設定する内容物放出操作ロック機構が提案されている（特許文献１参照）。
【０００５】
この内容物放出操作ロック機構の操作部材を保護するため、当該操作部材のカバー体が容器本体に固定されている。
【０００６】
このカバー体は、内容物放出操作に先立って容器本体から取りはずされることなしに、操作部材（ボタン部）の両横側の保護用起立部を備えた態様で、常時、容器本体に取り付けられている。
【０００７】
すなわち、内容物放出側となる操作部材前方は勿論のこと、それ以外にも、利用者の内容物放出操作に必要な操作部材上方および操作部材後方の各空間域には、カバー体が配設されていない。
【先行技術文献】
【特許文献】
【０００８】
【特許文献１】特開２０１２−１４０１３５号公報
【発明の概要】
【発明が解決しようとする課題】
【０００９】
このように従来の、操作部材のスライド動作に基づいて、内容物放出操作阻止のロックモードと、内容物放出操作可のロック解除モードとを選択的に設定する内容物放出操作ロック機構の場合、当該操作部材の上方空間域が、操作部材保護用のカバー体でいわば覆われない構造になっている。
【００１０】
そのため、操作部材の上面側全体などが露出してしまい、カバーキャップおよび操作部材からなるロック機構全体の外観形状のシンプル感にかけるという問題点があった。
【００１１】
また、露出した操作部材上面側の操作によりロックモードとロック解除モードとの変更が比較的簡単におこなえるので、不用意に、ロック解除モードの設定操作およびこれに続く作動モードの設定操作が生じやすいという問題点があった。
【００１２】
すなわち、利用者のいわば意に反する形で容器本体の内容物が外部空間域に放出されてしまうという誤動作発生の問題点があった。
【００１３】
そこで本発明では、エアゾール式製品やポンプ式製品における内容物放出用の操作部材の保護部材としてのカバーキャップを、当該操作部材の上方カバー用の天板部分を備えたキャップ形状のものとし、さらにはこの天板部分の表側（上面側）を平板状の天面態様としている。
【００１４】
また、内容物放出用の操作部材をそのスライド操作によりカバーキャップ内部にいわば入れ込んだロックモードにおいては、当該操作部材が当該カバーキャップの側面開口部に係合し、
かつ、内容物放出用の操作部材をそのスライド操作によりカバーキャップ外部へ移動させたロック解除モードにおいては、当該操作部材が当該カバーキャップの側面開口部との係合状態からいわば逃げる、
ようにしている。
【００１５】
本発明は、このような内容物放出操作ロック機構の採用により、
(11)ロック機構全体の天面および側面の形状をシンプルですっきりした感じに設定し、
(12)ロックモードに設定済みの内容物放出機構が不用意に内容物放出状態に移行することを阻止できる、すなわち当該内容物放出機構の誤動作防止を図る、
ことを目的とする。
【課題を解決するための手段】
【００１６】
本発明は、以上の課題を次のようにして解決する。
（１）内容物放出操作のときも容器本体（例えば後述の容器本体１）と一体のカバーキャップ（例えば後述のカバーキャップ３）の内部に配設された内容物放出用の操作部材（例えば後述の操作部材５）に対する、当該内容物放出操作とは別のスライド操作により、内容物放出操作阻止のロックモードと、内容物放出操作可のロック解除モードとが選択的に設定される内容物放出操作ロック機構において、
前記カバーキャップは、
前記操作部材の上方カバー用の天板部分（例えば後述の天板３ｆ）を有する天井付き筒状部材（例えば後述の胴部３ａ＋天板３ｆ）からなり、
前記操作部材のスライド操作および内容物放出操作をそれぞれ可能にするための操作用開口部（例えば後述の後開口部３ｃ）と、
前記容器本体の内容物を外部空間域に放出するための放出用開口部（例えば後述の前開口部３ｂ）と、
を当該天井付き筒状部材の周面部（例えば後述の胴部３ａ）に備え、
前記操作部材は、
利用者の操作により、前記操作用開口部を介して前記カバーキャップの内外方向に移動するスライド作動部（例えば後述の天板部５ａ，平板状垂下部５ｂ）と、
当該スライド作動部がカバーキャップ内側方向へ移動したロックモード位置での前記内容物放出操作において、当該操作用開口部の縁部分（例えば後述の後開口部３ｃと後端側下周面部３ｄとのいわば境界部分）に係止されることにより内容物放出操作阻止部として作用するロック作用部（例えば後述の外側垂下部５ｅ）と、
を少なくとも備え、
前記カバーキャップおよび前記操作部材の少なくとも一方は、
前記スライド作動部がカバーキャップ外側方向へ移動したロック解除モード位置での前記内容物放出操作において、前記操作用開口部の縁部分に係止されない逃げ空間部として作用するロック解除作用部（例えば後述の切欠状部分５ｇ）を有した、
構成態様のものを用いる。
（２）上記（１）において、
前記天板部分は、
その表側が平板状天面（例えば後述の平板状天面３ｇ）の態様で設定された、
構成態様のものを用いる。
（３）上記（１），（２）において、
前記操作部材は、
前記ロックモード位置のとき、前記天井付き筒状部材の外周面（例えば後述の胴部３ａの外周面）とともに同一面を構成する周方向外面部分（例えば後述の外側垂下部５ｅの外周面）を有した、
構成態様のものを用いる。
（４）上記（１）〜（３）において、
前記ロック作用部は、
前記操作用開口部の下側の前記縁部分に係止される前記操作部材の後側下端部（例えば後述の外側垂下部５ｅの下端部）であり、
前記操作部材の前記ロック解除作用部は、
前記後側下端部の位置からその上方側に形成された切欠状部（例えば後述の切欠状部分５ｇ）である、
構成態様のものを用いる。
（５）上記（１）〜（４）において、
前記放出用開口部に通じる出力側通路部材（例えば後述の出力側通路部材４）を備え、
前記操作部材は、
前記出力側通路部材に前記スライド作動部が案内されながら前記カバーキャップの内外方向に移動する、
構成態様のものを用いる。
（６）上記（５）において、
前記出力側通路部材は、
平坦な天面部分（例えば後述の天面４ｄ）を有し、
前記スライド作動部は、
前記天面部分に案内される、
構成態様のものを用いる。
【００１７】
このような構成からなる内容物放出操作ロック機構、ならびにこの内容物放出操作ロック機構からなるエアゾール式製品およびポンプ式製品を本発明の対象としている。
【発明の効果】
【００１８】
本発明は、以上の構成をとることにより、
(21)ロック機構全体の天面および側面の形状のシンプル化を図り、
(22)ロックモードに設定済みの内容物放出機構が不用意に内容物放出状態に移行することを十全に阻止し、当該内容物放出機構の誤動作防止を図る、
ことができる。
【図面の簡単な説明】
【００１９】
【図１】操作部材を図示左側の前方へシフトさせた内容物放出操作阻止のロックモードを示す説明図である。
【図２】図１のロックモードにおけるカバーキャップおよび操作部材などの外観を示す説明図である。
【図３】操作部材を後方Ｂ方向にシフトさせた内容物放出操作可のロック解除モード（静止モード）を示す説明図である。
【図４】図３の静止モードの操作部材をＣ方向に押下げ回動操作した内容物放出状態の作動モードを示す説明図である。
【図５】カバーキャップの後開口部，操作部材および出力側通路部材などの関連構成を示す説明図である。
【発明を実施するための形態】
【００２０】
図１乃至図５を用いて本発明を実施するための形態を説明する。
【００２１】
上述したように、本発明の内容物放出操作ロック機構はエアゾール式製品およびポンプ式製品の双方に適用できる。ただ以下の実施形態では、単なる説明の便宜上、エアゾール式製品の場合を前提とする。
【００２２】
なお、以下のアルファベット付き参照番号の構成要素（例えば胴部３ａ）は、原則として当該参照番号の数字部分の構成要素（例えばカバーキャップ３）の一部であることを示している。
【００２３】
図１〜図５において、
１は各種の内容物および放出用ガスを収納したエアゾール式製品の容器本体，
１ａは当該容器本体の構成要素である胴体上端部分とその上の肩カバー体下端部分との巻締め結合により設定されるアンダーカット，
２は容器本体１の内部において、周知のコイルスプリング（図示省略）の弾性力により上方向に付勢された形で周知のバルブ作用および放出通路作用を呈するステム，
をそれぞれ示している。
【００２４】
また、
３は容器本体１のアンダーカット１ａに常時嵌合している鞘状のカバーキャップ（ワンタッチキャップ），
３ａは当該カバーキャップの構成要素であって略同一の円形状横断面を呈する円筒状の胴部，
３ｂは胴部３ａの前周面部分に形成された内容物放出用の前開口部，
３ｃは胴部３ａの後周面部分に形成されたスライド操作・内容物放出操作用の後開口部，
３ｄは後開口部３ｃの略真下に相当する略鉛直状態の後端側下周面部，
３ｅは前開口部３ｂの下方近傍部分（当該カバーキャップの内周面）に形成されて、後述の出力側通路部材の回動軸４ｃを係合保持する一対の凹状部，
３ｆは胴部３ａの上端部分に続く円形状の天板，
３ｇは天板３ｆの上面であって略平坦部分からなる平板状天面，
をそれぞれ示している。
【００２５】
また、
４はカバーキャップ３に回動可能な形で取り付けられてその内容物流入側がステム２の流出側に嵌合し、かつ、前端の内容物流出側とは反対の後端側がカバーキャップ３の後開口部３ｃの部分まで延びて、略平坦な天面からなる出力側通路部材，
４ａは当該出力側通路部材を構成する内容物通過用のＬ字状通路部，
４ｂはＬ字状通路部４ａの前端側に、カバーキャップ３の前開口部３ｂと対向する形で設定された周知の内容物放出用の孔部（ノズル），
４ｃは当該出力側通路部材の前端下部分に形成されてカバーキャップ３の凹状部３ｅのそれぞれと個々に係合する一対の回動軸，
４ｄは当該出力側通路部材の略平坦形状からなる天面，
４ｅは天面４ｄの後端円弧状部分から下方に延伸する横断面円弧状の内側垂下部，
４ｆは天面４ｄの後側部分における前後方向の平行縁部分のそれぞれから下方に延伸して、後述の操作部材５の内向き凹状部５ｃとの係合作用によりこれらを個々に案内する一対の前後方向の直線状垂下部，
をそれぞれ示している。
【００２６】
また、
５は利用者の前後方向へのスライド操作に応じて、内容物放出操作を阻止するロック状態の前位置と当該内容物放出操作が可能なロック解除状態の後位置とにシフトし、かつ、この後位置における利用者の押下げ回動操作（内容物放出操作）に応じて、ステム２をそれまでの静止モード位置から作動モード位置に移行させる機能を備えた操作部材，
５ａは前後方向の平行縁部分を持ち、静止モードにおいて出力側通路部材４の天面４ｄに略当接した状態で前後方向にスライドする天板部，
５ｂは天板部５ａの平行縁部分のそれぞれから下方に延伸する一対で対向状態の平板状垂下部，
５ｃは平板状垂下部５ｂそれぞれの内面上側部分の前後方向に形成されて、出力側通路部材４の直線状垂下部４ｆと係合することによりそのガイド作用を受ける一対の内向き凹状部，
５ｄは内向き凹状部５ｃの下端側を画定するための一対の内向き凸状部，
５ｅは天板部５ａの後端円弧状部分から下方に延びて、当該操作部材を前進させたロック時に出力側通路部材４の内側垂下部４ｅと当接する、カバーキャップ３と略同一径相当の横断面円弧状の外側垂下部，
５ｆは外側垂下部５ｅの上端部分を天板部５ａの位置より少しだけ突出させて、利用者が当該操作部材のスライド操作や押下げ回動操作をおこなうときのいわば指架け部分となりえる突出部，
５ｇは平板状垂下部５ｂの後部分下端側に上下方向・下広がりの台形態様で形成されて、当該操作部材のロック解除時にカバーキャップの後端側下周面部３ｄの真上に位置する一対の切欠状部分，
をそれぞれ示している。
【００２７】
また、
Ａはロックモードにおけるカバーキャップ３の後開口部３ｃの上下方向隙間部分、すなわち利用者がロック状態の操作部材５を後位置にスライドさせるために指などを入れることができる上下方向空間域（図１〜図４参照），
Ｂはロックモードの操作部材５に対するロック解除操作方向（図３参照），
Ｃはロック解除後の操作部材５に対する内容物放出操作方向（図４参照），
をそれぞれ示している。
【００２８】
ここで、容器本体１およびステム２は例えばプラスチック製，金属製のものである。カバーキャップ３，出力側通路部材４および操作部材５は例えばポリプロピレン，ポリエチレン，ポリアセタール，ナイロン，ポリブチレンテレフタレートなどからなるプラスチック製のものである。
【００２９】
図示の内容物放出操作ロック機構の基本的特徴は、
(31)平板状天面３ｇを持つカバーキャップ３の内部に操作部材５が押し込まれた状態のロックモードにおいて、これらカバーキャップおよび操作部材からなる内容物放出操作ロック機構全体の天面および側面を、シンプルですっきりした感じの形状にまとめ、
(32)操作部材５を前方へスライドさせた図１，図２のロックモードのときには、当該操作部材の外側垂下部５ｅがカバーキャップ３の後端側下周面部３ｄの上端面（＝後開口部３ｃの下縁部分）に、当接またはこれに近い状態で対向し、
(33)図１，図２の操作部材５がカバーキャップ３の外側へいわば引き出された状態の図３のロック解除モードのときには、操作部材５の切欠状部分５ｇが当該カバーキャップの後端側下周面部３ｄの真上に位置する、
ことである。
【００３０】
図１，図２のロックモードのとき、操作部材５は、その外側垂下部５ｅの下端面がカバーキャップ３の後端側下周面部３ｄの上端面に当接した、保持状態に設定されている。
【００３１】
そのため利用者が、操作部材５の後端側部分などを押し下げて内容物放出状態の作動モードに設定しようとしても、当該操作部材は移動しない。
【００３２】
すなわち、弁作用を呈する周知のステム２はそれまでの閉状態（静止モード）に維持されて、容器本体１の内容物が出力側通路部材４の孔部４ｂから外部空間域に放出されることはない。
【００３３】
図３は、利用者が、図１のロックモード位置の操作部材５を、その内向き凸状部５ｄの後端部分が出力側通路部材４の内側垂下部４ｅの内周面部分に当接するまで後方にスライドさせた、ロック解除モード（＝静止モード）を示している。
【００３４】
このとき、上述したように操作部材５は、その外側垂下部５ｅの全体がカバーキャップ３の後端側下周面部３ｄの真上部分から後方に十分ずれ、かつ、その一対の切欠状部分５ｇそれぞれがカバーキャップ３の後端側下周面部３ｄの略真上に位置している。
【００３５】
この「後端側下周面部３ｄの略真上」とは、利用者の、操作部材５の後側部分に対する図４のＣ方向への押下げ操作時に、一対の切欠状部分５ｇが後端側下周面部３ｄに無理なく入り込んでいける態様の、当該切欠状部分と当該後端側下周面部との位置，形状関係の意である。
【００３６】
図４は、利用者が、図３のロック解除モード・静止モードの操作部材５を矢印Ｃ方向に押下げて回動操作した状態、すなわち容器本体１の収容内容物や、ステム２の下側部分が配設される周知のハウジング（図示省略）６の収容内容物が、出力側通路部材４のＬ字状通路部４ａの孔部４ｂから外部空間域に放出される状態を示している。
【００３７】
図４の操作部材５に対する矢印Ｃ方向への押下げ回動操作にともない、
(41)当該操作部材は、カバーキャップ３の凹状部３ｅに係合状態の回動軸４ｃを中心にして図示時計方向に回動し、
(42)この回動により、Ｌ字状通路部４ａの内容物流入側のステム係合部分がステム２を押し下げ、
(43)この押下げにより、ステム２が周知のコイルスプリング（図示省略）の上方向への弾性力に抗する形で下方に移動して、その弁作用部がそれまでの閉状態から開状態へシフトする。
【００３８】
ステム２の周知の弁作用部が開くことにより、容器本体１の内容物が「ハウジング（図示省略）−ステム２の内部空間域−Ｌ字状通路部４ａ−孔部４ｂ」の径路で外部空間域に放出される。
【００３９】
利用者が操作部材５の押下げ回動操作を止めると、ステム２およびこれと一体の出力側通路部材４は周知のステム付勢用コイルスプリング（図示省略）の弾性力により上方向に駆動される。
【００４０】
このとき、出力側通路部材４は、カバーキャップ３の凹状部３ｅに係合した回動軸４ｃを中心にして図示反時計方向に回動する。
【００４１】
その結果、前後方向へのスライド可能な形で出力側通路部材４に取り付けられた操作部材５も図示反時計方向に回動して初期位置に復帰する。すなわち図３のロック解除モード（静止モード）の位置に復帰する。
【００４２】
図３の位置に復帰したロック解除モードの操作部材５を前方向に押して移動させることにより、当該操作部材は、その外側垂下部５ｅが出力側通路部材４の内側垂下部４ｅに当接した状態、すなわち図１のロックモード位置にシフトする。
【００４３】
図示の内容物放出操作ロック機構の組立て手順は、
(51)出力側通路部材４をカバーキャップ３の下方から挿入し、回動軸４ｃを凹状部３ｅに係合させ、
(52)操作部材５をカバーキャップ３の後開口部３ｃから挿入し、出力側通路部材４の直線状垂下部４ｆを内向き凹状部５ｃに嵌込む、
ようにする（図５参照）。
【００４４】
本発明のエアゾール放出操作機構が図示の実施形態に限定されるものでないことは勿論であり、例えば、
(61)操作部材５に切欠状部分５ｇに代えて、これに相当する切欠状部分をカバーキャップ３の後端側下周面部３ｄに後開口部３ｃから連続する態様で形成する、
(62)操作部材５および後端側下周面部３ｄそれぞれの対向部分に、この操作部材の内容物放出操作用の切欠状部を個々に、双方の合計長が切欠状部分５ｇの長さ以上となるように形成する、
(63)図示の押下げ回動タイプの操作部材に代えて、非回動の上下動タイプの操作部材を用いる、
(64)カバーキャップ３の凹状部３ｅと出力側通路部材４の回動軸４ｃとの凹凸関係を逆にする、
ようにしてもよい。
【００４５】
本発明が適用されるエアゾール式製品，ポンプ式製品としては、必要に応じ、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがありえる。
【００４６】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００４７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００４８】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４９】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００５０】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５１】
高分子化合物としては、メチルセルロース，ゼラチン，デンプン，カゼイン，ヒドロキシエチルセルロース，キサンタンガム，カルボキシビニルポリマーなどを用いる。
【００５２】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００５３】
さらに、上記内容物以外の、懸濁剤，紫外線吸収剤，乳化剤，保湿剤，酸化防止剤、金属イオン封鎖剤なども用いることができる。
【００５４】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００５５】
１：容器本体
１ａ：アンダーカット
２：ステム
【００５６】
３：鞘状のカバーキャップ（ワンタッチキャップ）
３ａ：胴部
３ｂ：内容物放出用の前開口部
３ｃ：スライド操作・内容物放出操作用の後開口部
３ｄ：後端側下周面部
３ｅ：一対の凹状部
３ｆ：天板
３ｇ：平板状天面
【００５７】
４：出力側通路部材
４ａ：Ｌ字状通路部
４ｂ：内容物放出用の孔部（ノズル）
４ｃ：回動軸
４ｄ：天面
４ｅ：内側垂下部
４ｆ：直線状垂下部
【００５８】
５：操作部材
５ａ：天板部
５ｂ：平板状垂下部
５ｃ：内向き凹状部
５ｄ：内向き凸状部
５ｅ：外側垂下部
５ｆ：指架け部分となりえる突出部
５ｇ：切欠状部分
【００５９】
Ａ：指などを入れることができる上下方向空間域（図１〜図４参照）
Ｂ：ロック解除操作方向（図３参照）
Ｃ：内容物放出操作方向（図４参照）
【図１】
2015074485.tif 000003
【図２】
2015074485.tif 000004
【図３】
2015074485.tif 000005
【図４】
2015074485.tif 000006
【図５】
2015074485.tif 000007